Podtech/llm-jp-corpus-v4-ja_patent huggingface dataset:
(57)【要約】【課題】保温効果が高く、しかも取り扱いが容易な補助寝具を提供する。【解決手段】本発明の補助寝具１は、枕Ｐの上に載置される下部補助布団１０と、顔面を覆う上部補助布団２０とを含む補助寝具１であって、下部補助布団１０は、所定配列とされた砂袋１１を有し、上部補助布団２０は、所定配列とされた砂袋２１と、呼吸用刳り貫き２２とを有してなるもので、上部補助布団２０は、さらに下部補助布団１０に係止される係止部２３ａを有する係止片２３を備えている。【選択図】図１
2015198753.tif 000002
【特許請求の範囲】
【請求項１】
枕の上に載置される下部補助布団と、顔面を覆う上部補助布団とを含む補助寝具であって、
前記下部補助布団は、所定配列とされた砂袋を有し、
前記上部補助布団は、所定配列とされた砂袋と、呼吸用刳り貫きとを有してなる
ことを特徴とする補助寝具。
【請求項２】
上部補助布団は、下部補助布団に係止される係止部を有する係止片を備えてなることを特徴とする請求項１記載の補助寝具。
【請求項３】
下部補助布団は、係止片の係止部と係止される係止部材を有することを特徴とする請求項２記載の補助寝具。
【発明の詳細な説明】
【技術分野】
【０００１】
本発明は補助寝具に関する。さらに詳しくは、睡眠時に頭部を保温する補助寝具に関する。
【背景技術】
【０００２】
従来より、睡眠時に頭部を保温することが血行を促進して体を健康にするという観点にたって、頭部を保温する補助寝具が種々提案されている。
【０００３】
例えば、特許文献１には、肩口以上、首および頭部全体を覆う布団の顔部分に、ゆったりとした開口を刳り貫きに設けた頭部専用布団が提案されている。
【０００４】
しかしながら、特許文献１の提案に係る布団にあっては、単に顔が露出するように被せるだけなので、寝返りを繰り返しているうちにずれてしまうという欠点を有していた。
【０００５】
かかる特許文献１の提案に係る布団の欠点を解消すべく、特許文献２には、敷布団の下に挿入される挿入片と挿入片よりも幅広の包囲片を有する保温用寝具が提案されている。
【０００６】
しかしながら、特許文献２の提案に係る保温用寝具にあっては、顔が露出するため保温効果が限定的であるという欠点を有している。また、挿入片を敷布団の下に挿入しなければならず、取り扱いが煩雑であるという欠点も有している。
【先行技術文献】
【特許文献】
【０００７】
【特許文献１】特開２０００−１７５７９６号公報
【特許文献２】特開２００９−１８３３４０号公報
【発明の開示】
【発明が解決しようとする課題】
【０００８】
本発明はかかる従来技術の課題に鑑みなされたものであって、保温効果が高く、しかも取り扱いが容易な補助寝具を提供することを目的としている。
【課題を解決するための手段】
【０００９】
本発明の補助寝具は、枕の上に載置される下部補助布団と、顔面を覆う上部補助布団とを含む補助寝具であって、前記下部補助布団は、所定配列とされた砂袋を有し、前記上部補助布団は、所定配列とされた砂袋と、呼吸用刳り貫きとを有してなることを特徴とする。
【００１０】
本発明の補助寝具においては、上部補助布団は、下部補助布団に係止される係止部を有する係止片を備えてなるのが好ましい。
【００１１】
また、本発明の補助寝具においては、下部補助布団は、係止片の係止部と係止される係止部材を有するのが好ましい。
【発明の効果】
【００１２】
本発明の補助寝具は、前記の如く構成されているので、顔が露出することはなく頭部の保温効果が高く、全身の血行を促進することができるという優れた効果を奏する。
【図面の簡単な説明】
【００１３】
【図１】本発明の補助寝具の概略図である。
【図２】同補助寝具の下部補助布団の平面図である。
【図３】同下部補助布団の砂袋の断面図である。
【図４】同補助寝具の上部補助布団の平面図である。
【図５】同補助寝具の使用態様の写真である。
【発明を実施するための形態】
【００１４】
以下、添付図面を参照しながら本発明を実施形態に基づいて説明するが、本発明はかかる実施形態のみに限定されるものではない。
【００１５】
本発明の一実施形態に係る補助寝具を図１に示す。
【００１６】
補助寝具１は、図１に示すように、枕Ｐの上に載置される下部補助布団１０と、顔面を覆う上部補助布団２０とを含むものとされる。
【００１７】
下部補助布団１０は、図２および図３に示すように、内部に砂Ｓが充填された砂袋１１を碁盤目状に有するものとされる。下部補助布団１０のサイズは、例えば、横が５８０ｍｍ程度、縦が３４０ｍｍ程度とされて枕の上に載るようにされている。砂袋１１のサイズは、図示例では、４０ｍｍ角の正方形とされている。ここで、充填する砂Ｓは、川砂や海砂などでよく、その種類に特に限定はない。
【００１８】
上部補助布団２０は、図４に示すように、内部に砂が充填された砂袋２１を碁盤目状に有するものとされ、その中央に呼吸用刳り貫き２２を横長に設けてなるものとされる。刳り貫き２２のサイズは、長さが２４０ｍｍ程度、幅は２０ｍｍ程度とされている。なお、砂袋２１は砂袋１１と同様とされている。
【００１９】
また、上部補助布団２０には、上部補助布団２０のずれ落ちを防止するため、両端部に端部裏面に着脱自在とされた係止部２３ａを有する係止片２３が設けられている。係止部２３ａは、下部補助布団１０の布地に着脱自在に係止して上部補助布団２０のずれ落ちを防止するものとされる。この場合、下部補助布団１０の係止部２３ａと係止される部位に被係止部材を設けて置くのが望ましい。
【００２０】
図５に、本実施形態の使用態様を写真で示す。
【００２１】
図５から明らかなように、本実施形態によれば、顔が露出することはないので、頭部の保温効果が高く、全身の血行を促進することができる。
【００２２】
以上、本発明を実施形態に基づいて説明してきたが、本発明はかかる実施形態のみに限定されるものではなく、種々改変が可能である。
【００２３】
例えば、砂袋１１，２１は長方形や菱形とされてもよい。
【産業上の利用可能性】
【００２４】
本発明の寝具産業に適用できる。
【符号の説明】
【００２５】
１    補助寝具
１０    下部補助布団
１１    砂袋
２０    上部補助布団
２１    砂袋
２２    呼吸用刳り貫き
２３    係止片
２３ａ  係止部
Ｓ    砂
Ｐ    枕
【図１】
2015198753.tif 000003
【図２】
2015198753.tif 000004
【図３】
2015198753.tif 000005
【図４】
2015198753.tif 000006
【図５】
2015198753.tif 000007
(57)【要約】【課題】従来のピーラーでは片手での使用が難しかった。本発明は、片手でも使用可能なピーラーを提供する。【解決手段】ピーラーの持手を手の指に固定する指サック形状にする。【選択図】図１
2015198770.tif 000002
【特許請求の範囲】
【請求項１】
指サック形状の持手の指の腹部の先端と付け根付近の二箇所にピーラーの刃（２）を取り付けたとき指の腹側でピーラーが使用出来る方向を向くようピーラーの刃の支持部を設けピーラーの刃を取り付けた事を特徴とするピーラー。
【発明の詳細な説明】
【技術分野】
【０００１】
手の指に固定する指サック形状の持手のピーラーに関するものである。
【背景技術】
【０００２】
従来のピーラーにはY字型などの形状がある。
【発明の概要】
【発明が解決しようとする課題】
【０００３】
従来のピーラーでは片手での使用が難しかった。
本発明は、片手でも使用可能なピーラーである。
【課題を解決するための手段】
【０００４】
ピーラーの持手を手の指に固定する指サック形状の持手にする。
【発明の効果】
【０００５】
ピーラーの持手を手の親指などに固定する指サック形状にする事により片手でも使用可能になる。
【図面の簡単な説明】
【０００６】
【図１】外観
【発明を実施するための形態】
【０００７】
手の指をはさむ又は覆う等で指に固定する指サック形状の持手（１）を作り持手（１）の指の腹部の先端と付け根付近の二箇所にピーラーの刃（２）を取り付けたとき指の腹側でピーラーが使用出来る方向を向くようピーラーの刃（２）の支持部（３）を設けピーラーの刃（２）を取り付ける。
使用方法
持手(1)を親指などに固定させ持手(１)の指の腹側に取り付けられたピーラーの刃(２)で野菜などの皮などを切り取る。
【符号の説明】
【０００８】
１  持手、２  ピーラーの刃、３  支持部
【図１】
2015198770.tif 000003
(57)【要約】【課題】特に需要が高いと見込まれる「戸締り」（ドア・窓等の施錠）と「火の元」（（元栓を含む）ガス・電気調理器の稼働）の状況確認と必要に応じた施錠開錠・元栓の開閉・スイッチのオンオフをスマホとの通信による遠隔操作で可能とし生活の利便性や安全性を高めるという課題。【解決手段】スマホとの通信による遠隔操作と予めそれらに取り付けた装置で状態の確認と元栓の開閉・スイッチのオンオフを可能とする。【特許請求の範囲】
【請求項１】
「戸締り」（ドア・窓等の施錠）の状況確認と必要に応じてスマホとの通信による遠隔操作で施錠開錠が可能となること。
【請求項２】
「火の元」（（元栓を含む）ガス・電気調理器の稼働）の状況確認と必要に応じてスマホとの通信による遠隔操作で元栓の開閉・スイッチのオンオフが可能となること。
【発明の詳細な説明】
【技術分野】
【０００１】  スマホの各種機器等に係るコントロール機能と対象に関するものである。
【背景技術】
【０００２】  スマホの各種機器のコントロール機能については、家電（エアコン）等関連が実現化されつつある。
【発明の概要】
【発明が解決しようとする課題】
【０００３】  特に需要が高いと見込まれる「戸締り」（ドア・窓等の施錠）と「火の元」（（元栓を含む）ガス・電気調理器の稼働）の状況確認と必要に応じた施錠開錠・元栓の開閉・スイッチのオンオフが、スマホとの通信による遠隔操作で可能であってほしいという課題。
【課題を解決するための手段】
【０００４】  予めドア等やガスの元栓に取り付けた、スマホとの通信が可能かつ開閉・オンオフ等が可能な装置に、スマホからの通信により状況を把握し、開閉等の操作を通信により行う。
【発明の効果】
【０００５】  特に需要が高いと見込まれる「戸締り」と「火の元」について遠隔操作が可能となれば、生活する上での利便性や安全性は高まる。
(57)【要約】      （修正有）【課題】河川等の流れるエネルギーを電気に変える時、さまざまな要因による水位の上下変動にかかわらず安定して電気を発電する双胴船ー水流誘導型３連動水車発電機を提供する。【解決手段】双胴船に設けた３連動水車発電機が、誘導板によって左右上下に集中した水流によって流れるエネルギーを回転エネルギーに変換し、発電機により電力を発生させる双胴船ー水流誘導型３連動水車発電機を特徴とする。【選択図】図１
2015129499.tif 000002
【特許請求の範囲】
【請求項１】
二艇の強化プラスチック艇を平行に配置し、それぞれの上面に水車１（全部）、水車２（中部）、水車３（後部）、と発電機等機器を設ける。水車１に作用する水流は水車プロペラ幅と水面に根入れした深さの水流▲１▼である。水車▲１▼を通過した水流▲１▼は死水となる。
水車２に作用する水流は水流▲１▼の死水、と左右艇の下層の水流▲２▼を水流誘導板によって水車２に作用させる（平面方向）、また水車１の下層の水流▲２▼も水流誘導板によって水車２に作用させる。
水車３は水車２と同様となる。
この水車１〜３は回転力を同じにする必要性があるので、それぞれの誘導板の深さ、方向、大きさ等、細かな修正・調整を施した双胴船―水流誘導型３連動水車発電機。
【発明の詳細な説明】
【技術分野】
【０００１】この発明は、河川などの流水に浮かべた、双胴船に水流誘導型の水車３基を連携動作する水車発電機を設けた、双胴船―水流誘導型３連動水車発電機に関するものである。
【背景技術】
【０００２】従来、河川の形状を変更する程の構造物を川岸、川底等に設け、それに発電機を配置し発電していた。
【先行技術文献】
【特許文献】
【０００３】特になし
【発明の概要】
【発明が解決しようとする課題】
【０００４】これは次のような欠点があった。
川の岸、底などに構造物を作り環境が大きく変わることは、自然環境破壊であり、設備費も嵩む。季節その他の要因で川の水位が上下変動することで発電用水車に作用する水量が変化することで安定した発電が不可能になる。
本発明は、以上のような欠点をなくすためになされたものである。
【課題を解決するための手段】
【０００５】河川などの流れに浮かべた双胴船の前部、中央部、後部のそれぞれに水車プロペラを配し、流れにより発生した回転力を一カ所に集め増速機を介し、発電機に伝え発電する。
水車１のプロペラにはその全面の水流▲１▼を作用させ回転する。
水車２、３については水車１を通過した流れは考慮せず、左右艇の下層の水流を水流誘導板（Ｙ、平面方向）にて水車２、３に作用させる。また、水車プロペラの直下層の水流▲２▼▲３▼は水流誘導板（Ｚ、断面方向）にて水車２、３に作用させる。
本発明は、以上の構成よりなる双胴船ー水流誘導型３連動水車発電機である。
【発明の効果】
【０００６】双胴船ー水流誘導型３連動水車発電機は水面に浮いているので、河川の水位が変動しても水車プロペラに作用する水量は一定である。
双胴船ー水流誘導型３連動水車発電機は、縦方向、横方向の連結はスペースが許す限り自由であり、日中夜を問わず連続発電することが出来る。
【図面の簡単な説明】
【０００７】
【図１】本発明の双胴船ー水流誘導型３連動水車発電機、正面、平面、断面図である。
【図２】本発明の水流分担図ー１（断面）、水流分担図ー２（平面）、水流分担図ー３（正面）である。
【発明を実施するための形態】
【０００８】以下、本発明を実施するための形態について説明する。
強化プラスチック右艇（Ｒ）と左艇（Ｌ）の上面に水車プロペラを軸受金具にて設ける、また下面には下面連結材（ＡＮ）を設ける。水車プロペラは、前部（１）と中部（２）と後部（３）の３カ所に設け、Ｖプーリ（Ｋ）、Ｖベルト（Ｖ）にて３連結し、増速機（Ｇ）を介し発電機（Ｈ）を運転する。
水流分担（水流分担図ー１）は水車１には水車プロペラ正面の水流▲１▼（４列×３段）が作用する。
水車２には左右艇下層の水流▲２▼（３列×２段左右の２カ所）を水流誘導板（Ｙ）が水車２へ作用させる（平面方向）。水車プロペラ下層の水流▲２▼（６列×２段）は水流誘導板（Ｚ）により水車２へ作用させる。（断面方向）。水車３の水流誘導は水車２と同じ。
水車の水面下に挿入する深さは全体の重量により強化プラスチック量を設定する。
本発明は、以上のような構造である。
これを使用するときは川岸よりロープ等にて固定し、昼夜を問わず発電する事が出来る。
【符号の説明】
【０００８】図１符合
Ｌ  左艇                  Ｋ    駆動プーリ
Ｒ  右艇                  Ｖ    Ｖベルト
Ｓ  水車                  ＡＮ  下面連結材
Ｙ  水流誘導板（平）      Ｈ    発電機
Ｚ  水流誘導板（断）      Ｇ    増速機
【図１】
2015129499.tif 000003
【図２−１】
2015129499.tif 000004
【図２−２】
2015129499.tif 000005
【図２−３】
2015129499.tif 000006
(57)【要約】【課題】揮発性溶剤を用いず、完全に液体状として、容器保存性や、使用の際には毛筆ペンタイプの容器に収納でき、利便性を向上させた除光液を提供する。【解決手段】炭酸プロピレンを８０％〜９３％の範囲で含み、かつ、モノオレイン酸ソルビタンを３％〜９％、エチレングリコールモノメチルエーテルを２％〜６％、アジピン酸ジイソブチルを１％〜４％、塩化ベンザルコニウムを０．００５％〜０．０２％の範囲で含み、更にその他油脂成分を含む除光液。【選択図】図１
2015129105.tif 000002
【特許請求の範囲】
【請求項１】
炭酸プロピレンを８０％〜９３％の範囲で含み、かつ、モノオレイン酸ソルビタンを３％〜９％、エチレングリコールモノメチルエーテルを２％〜６％、アジピン酸ジイソブチルを１％〜４％、塩化ベンザルコニウムを０．００５％〜０．０２％の範囲で含み、更にその他油脂成分を含むことを特徴とする除光液。
【請求項２】
上記請求項１の除光液を、スティック状の本体を有し、内部の液体が本体の一方端に設けられた毛筆体からしみ出るようにした容器に収納したことを特徴とする除光液。
【発明の詳細な説明】
【技術分野】
【０００１】
この発明は、マニキュアや義爪の除去（取り外し）に用いる除光液（リムーバー）に関するもので、更に詳しくは、マニキュアや義爪を除去するたびに、爪が脱脂して白くなったり、乾燥して割れやすくなったりするのを防止できる除光液（リムーバー）に関するものである。
【背景技術】
【０００２】
従来の除光液（リムーバー）は、溶剤を主原料とするため、マニキュアや義爪を除去するたびに爪を脱脂して白くなったり、乾燥して割れやすくなったりして、薄くもろい爪となる等、リムーバの使用により爪を痛めるという問題があった。
【０００３】
そこで、爪を痛める揮発性溶剤の代わりに、炭酸プロピレンを主体に使用した除光液（ネイルエナメルリムーバ）が提案されている（例えば、特許文献１参照）。
【先行技術文献】
【特許文献】
【０００４】
【特許文献１】特開２００５−２０６５６０号公報
【発明の概要】
【発明が解決しようとする課題】
【０００５】
ところで、特許文献１のものでは、マニキュアを落とす作用効果は除光液と同等であるが、固形分、つまり有機変性粘度鉱物を含んでいるため（特許文献１の段落１５参照）、完全に液体の除光液と比較して使用上の制約や、容器保存上の取り扱いに難点があった。
【０００６】
そこで、この発明は、揮発性溶剤を用いず、完全に液体状として、容器保存性や、使用の際には毛筆ペンタイプの容器に収納でき、利便性を向上させた除光液を提供することを課題とするものである。
【課題を解決するための手段】
【０００７】
上記の課題を解決するため、請求項１の発明は、炭酸プロピレンを８０％〜９３％の範囲で含み、かつ、モノオレイン酸ソルビタンを３％〜９％、エチレングリコールモノメチルエーテルを２％〜６％、アジピン酸ジイソブチルを１％〜４％、塩化ベンザルコニウムを０．００５％〜０．０２％の範囲で含み、更にその他油脂成分を含むことを特徴とする除光液である。
【０００８】
なお、ここで、その他の油脂成分としては、潤い、潤滑性を与えるため付加される成分で、既知の適宜な油脂成分を使用でき、例えば、スクワランやコムギ胚芽油等が挙げられる。
【０００９】
また、請求項２の発明は、上記請求項１の除光液を、スティック状の本体を有し、内部の液体が本体の一方端に設けられた毛筆体からしみ出るようにした容器に収納したことを特徴とする除光液である。
【発明の効果】
【００１０】
本発明の除光液は、揮発性溶剤を主原料とする従来の除光液のように、除去するたびに爪を脱脂して白くなったり、乾燥して割れやすくなったりして、薄くもろい爪となる問題が生じない。
【００１１】
また、本発明の除光液は、有機変性粘度鉱物のような固形分は含まず、完全に液状のものであり、そのためペンシルタイプ（筆ペン状）の容器に充填することができて、持ち運びに有利である。
【００１２】
更に、従来のクリーム状（粘土質）ではなく液体であることから、物理的除去を目的とした筆ペン状の容器に充填することができ、筆の毛に染み出た液剤が、マニキュアに接触する際、筆先でマニキュアの表面を擦ることにより物理的にも早く溶かすことができ、マニキュアが解けたかどうかを確認できる。
【００１３】
また、リキッドタイプの特性として除去したいポリッシュに早くなじみ、ブラシをポリッシュ上で物理的に接触移動させるために、化学的、物理的な両面から除去速度を速めることができる。
【図面の簡単な説明】
【００１４】
【図１】本発明の除光液を収納した容器の斜視図である。
【発明を実施するための形態】
【００１５】
本発明の除光液の成分は、炭酸プロピレン、エチレングリコールモノメチルエーテル、アジピン酸ジイソプロピル、モノオレイン酸ソルビタン、塩化ベンザルコニウム、その他油脂成分からなり、油脂成分として、スクワランとコムギ胚芽油を使用し、配合率を以下の表１の通りとして除光液を作成した。
【００１６】
【表１】
2015129105.tif 000003
【００１７】
上記除光液は、有機変性粘度鉱物等の固形分は含まず、完全に液状であるので、ペンシルタイプ（筆ペン状）の容器に充填することができる。本実施形態では、図１に示すような筆ペンタイプの容器１の内部の貯液部２に本件の除光液を収納した。
【００１８】
この容器１はスティックタイプ（ペンタイプ）で、持ち運びが簡単であり、また、貯液部２の除光液は、容器１の先端の毛筆体３からしみ出るので、染み出た液剤が、マニキュアに接触する際、毛筆体３の筆先でマニキュアの表面を擦ることにより物理的にも早く溶かすことができ、更に、マニキュアが解けたかどうかを確認することができる。
【００１９】
更に、マニキュアが溶けだしたことを確認してからは、ティッシュペーパー等で簡単に拭い取ることができ、毛筆体３の筆先を爪を含む周辺皮膚にも塗布することにより、マニキュア除去後はマッサージを行うことにより残った油分で爪や周辺皮膚に潤いを与えることができる。
【符号の説明】
【００２０】
１  容器
２  貯液部
３  毛筆体
【図１】
2015129105.tif 000004
(57)【要約】      （修正有）【課題】メタン発酵のバイオガス生産速度の向上、メタン発酵における誘導時間の短縮、種菌の簡便な作成方法と初期菌濃度の増大する方法を提供する。【解決手段】メタン発酵液に予め珪藻土焼結体を添加することで、バイオガスの生産性の向上、および誘導時間の短縮が本発明の実施例により示された。このことから、商業的な大規模メタン発酵においても十分、珪藻土の添加効果が期待できる。また、珪藻土焼結体をナイロン袋に入れてメタン発酵槽に添加し、発酵終了後に菌体の付着した珪藻土焼結体を新たなメタン発酵液に加えることで、種菌として利用でき、返送汚泥にかわる新たな方法として期待できる。【選択図】図１
2015009237.tif 000002
【特許請求の範囲】
【請求項１】
珪藻土焼結体をメタン発酵液に予め適当量の珪藻土焼結体を添加、均一に混合しておく。
その結果、珪藻土焼結体が１μｍ程度の連続気泡をもつことにより、メタン発酵に関与する様々な微生物を吸着、保持することにより、バイオガス生産速度の向上およびバイオガス発生時までの誘導時間の短縮などの効果が得られた。さらに、消化液を液肥として利用する際に、珪藻土焼結体は水分保持などの土壌改良材としての性能を有するため、農作物の生産性向上に寄与することが期待される。さらに、珪藻土焼結体をナイロン袋などに入れた状態でメタン発酵液に加えることで、珪藻土焼結体の再利用およびメタン発酵の種菌として活用できるなどの利点を持つ。
珪藻土焼結体はメタン発酵液に対し、０．５％〜２０％添加で有効であり、特に５〜１０％添加で著しくバイオガス生産性を向上させる。
【発明の詳細な説明】
【技術分野】
【０００１】これまで、珪藻土焼結体は水処理のろ過材や土壌改良剤として使われてきたが、連続気泡を持つ多孔質体であることから、微生物担体としての利用が期待される。これまで、発明者らは生ごみ処理や排水処理の微生物担体として、珪藻土焼結体の特許を申請してきた。本発明は嫌気性のメタン発酵に珪藻土焼結体を応用としたものである。
【背景技術】
【０００２】  原子力に変わる新しいエネルギーとしてバイオマスを用いた発電が注目を集めており、畜産廃棄物や食品廃棄物を用いたメタン発酵の研究が盛んに行われている。エネルギー源としてメタン発酵が利用できれば、化石燃料の使用が減り、地球温暖化の防止に貢献できる。【０００３】  一方、メタン発酵は畜産廃棄物や食品廃棄物を含む培養液を密閉した発酵槽に入れて行われる。発酵槽内ではタンパク質、多糖、脂質などが嫌気性微生物によって加水分解を受け、低分子化が進行し、低分子の揮発性脂肪酸となる。これらが、さらに、酢酸、水素、二酸化炭素となり、メタン生成菌の作用でメタンと二酸化炭素を主成分とするバイオガスとなる。メタン発酵に関与する微生物は増殖速度が低く、メタン発生まで長時間を要することが問題であった。この対処方法として現在までに、菌体のフロックを形成させてそれを利用するＵＡＳＢ法（Ｕｐ  Ｆｌｏｗ  Ａｎａｅｒｏｂｉｃ  Ｓｌｕｄｇｅ  Ｂｌａｎｋｅｔ  Ｐｒｏｃｅｓｓ，上向流嫌気性汚泥ろ床法）、ポリマー担体を用いる方法などが開発され、実用化されてきている。【０００４】  畜産廃棄物や食品廃棄物を原料とした場合に、一般的に固形分が含まれるため、メタン発酵を終了した後で、固形残渣分を排出する必要がある。上述したＵＡＳＢ法では固形残渣分とフロックの分離が難しい。また、ポリマー担体は難分解性の有機物であるため、残渣を肥料として利用すると土壌中に分解されずに残るなどの欠点がある。
【発明の概要】
【発明が解決しようとする課題】・メタン発酵のバイオガス生産速度の向上
・メタン発酵における誘導時間の短縮
・種菌の簡便な作成方法と初期菌濃度の増大
【課題を解決するための手段】  メタン発酵液に予め珪藻土焼結体を加えて、メタン発酵を行うことで、バイオガスの生産性が向上し、誘導気が短縮した。下記の実施例にその結果を示す。
【発明の効果】
【０００５】  本発明では、珪藻土は肥料として田畑に散布しても土壌改良材として保湿効果のある優れた土壌改良剤である。また、添加した珪藻土を再利用するためには、珪藻土をナイロン袋などに入れておくことで、回収することも可能である。
【図面の簡単な説明】
【図１】  図１に種々の無機添加剤を入れたメタン発酵におけるメタンの発生量の変化を示す。
【図２】  図２に珪藻土焼結体の添加濃度とメタンの発生量の関係を示す。
【０００６】  以下に、本発明をより詳細に説明するが、本発明の技術的範囲は以下の実施例に限定されるものではない。
【実施例１】  実施例１では、５００ｍｌ培養ビンに鶏糞７５ｇと純水１１２ｍｌに無機担体１０ｇを添加して密栓し、３７℃の恒温槽内で培養したものである。バイオガスはテドラーバッグに集め、水上置換法で発生量を測定した後で、ガスクロマトグラフィーを用いてメタン濃度を測定した。コントロールは無機担体を添加していないものである。無機担体としては珪藻土焼結体以外にゼオライト、ハイドロボール、ガラスビーズを用いた。乾燥鶏糞１ｇあたりのメタン発生量の経日的変化を図１に示した。【０００７】  図１より、担体として珪藻土焼結体を用いたときにメタン発生は２５日目に確認され、コントロールが３３日目にくらべ、８日早かった。また、珪藻土焼結体を加えた場合、培養開始５０日目でメタン発生量は１２．８ｍｌ／ｇと，コントロール７．１９ｍｌに比べて約１．８倍の増大となった。
【実施例２】
【０００８】  実施例２では、珪藻土焼結体の添加量を変えた場合の結果を示す。実験方法は基本的に実施例１と同じである。乾燥鶏糞１ｇあたりのメタン発生量の経日的変化を図２に示した。急激なメタン生成は珪藻土焼結体１０％添加の場合、２７日目にみられた。また、珪藻土焼結体５％添加では４０日目にみられた。
これらの結果から珪藻土焼結体の添加量は５から１０％が適量であった。
【産業上の利用の可能性】
【０００９】  上記の実施例１および２にみられるように、メタン発酵液への珪藻土焼結体の添加は、バイオガス生産速度を著しく向上させ、誘導期間の短縮に効果を示した。このことから、稼働中の商業的なメタン発酵槽へのスケールアップも可能と考える。珪藻土焼結体の添加によるコスト的な問題も再利用などを検討することで解決できると考える。
【図１】
2015009237.tif 000003
【図２】
2015009237.tif 000004
(57)【要約】【課題】紙でできた祝儀袋の上包みは、頂いた後に繰り返し使用できないのでもったいない。処分後は、贈り主のことが記憶にあまり残らない。ハンカチ、風呂敷でできた祝儀袋の上包みは、再利用できるが、従来のハンカチ、風呂敷の使用方法にとどまり、サプライズ、インパクトにかける。多目的に再利用でき、実用的、経済的でサプライズ、インパクトのある祝儀袋を提供する。【解決手段】祝儀袋の上包みをタオル、ハンカチに最適な布で作製し、その布にはスナップボタンをもうける。【選択図】図１
2015009873.tif 000002
【特許請求の範囲】
【請求項１】
両端の角にスナップボタンをもうけた長方形状のタオル、ハンカチに最適な布で作製したことを特徴とする祝儀袋
【発明の詳細な説明】
【技術分野】
【０００１】
祝儀袋の上包みを多用途に再利用できるようにし、実用的、経済的かつサプライズ、インパクトのある祝儀袋にする。
【背景技術】
【０００２】
略式な祝儀袋は、金封に水引きやのしが印刷されているものが使用されている。
【０００３】
正式なものでは、和紙や上質紙等の高級紙からなり、装飾が施された金封が使用されている。金封には、水引きが適宜位置に巻回され、のし及び表紙が設置されている。
【０００４】
最近では、ハンカチ、風呂敷を外包みとして使用した祝儀袋もある。
【発明の概要】
【発明が解決しようとする課題】
【０００５】
紙でできた祝儀袋の上包みは、  頂いた後にゴミとして処分するか紙のリサイクルとして処分するしかなく、繰り返し使えないのでもったいない。処分した後は、贈り主の記憶があまり残らない。ハンカチ、風呂敷でできた祝儀袋の上包みは、繰り返し使えて経済的であるが、従来のハンカチ、風呂敷としての使用方法にとどまり、サプライズ、インパクトに欠ける。多用途に再利用できて実用的、経済的かつサプライズ、インパクトのある祝儀袋を提供する。
【課題を解決するための手段】
【０００６】
祝儀袋の上包みをタオル、ハンカチに最適な布で、一般的に使用される内袋の長辺の２倍以上3倍以内の長さ、短辺の２倍以上３倍以内になる長方形状の形で作製する。従来のタオル、フェイスタオルのサイズでは、２重に折り曲げる部分がでたり、折り曲げるのに長さが足りなくなるので、一般的に使用される内袋をもとに算出したサイズにするのが好ましい。図１中丸内数字は、本考案を使用した時の折りたたみ順を示してる。
【０００７】
布の縁部全周には、ほつれ防止用としての刺繍またはロック加工を施し、その両端の角にスナップボタンを設ける。
【０００８】
水引きは、ゴム紐でできた水引きを使用し、着脱を容易にできることが好ましい。
【発明の効果】
【０００９】
祝儀袋の上包みをスナップボタンをもうけた布で作製することで、多用途（ハンカチ、タオル、スタイ、首の日焼け防止タオル、保冷剤、カイロを包んで首元にまくタオル、バッグやベルトに掛けれるタオル、頭巾）に再利用でき、実用的、経済的な贈り物になる。サプライズ、インパクトのある祝儀袋になり、贈り主のことが印象に残る。
【図面の簡単な説明】
【００１０】
【図１】本考案に係る祝儀袋の分解斜視図
【図２】スタイ、首の日焼け防止としての利用例
【図３】バッグにかけて使用する利用例
【図４】カイロまたは保冷剤を包んで利用するときの折りたたみ手順
【発明を実施するための形態】
【００１１】
祝儀袋の上包みをタオル、ハンカチに最適な布で長方形状に作製し、その両端の角にスナップボタンをもうける。
【産業上の利用可能性】
【００１２】
一枚で、タオル、ハンカチとして利用する。
【００１３】
首の後ろでスナップボタンを留めて、スタイとして利用する。
【００１４】
首の前でスナップボタンを留めて、首の日焼け防止として利用する。
【００１５】
保冷剤または、カイロを中央におき、包むように２度折り曲げ、首の前でスナップボタンをとめて首元を冷やしたり、温めたりする包として利用する。
【００１６】
バッグ、ベルトに掛けてスナップボタンをとめてタオル、ハンカチとして利用する。
【００１７】
頭に巻いて、スナップボタンをとめ頭巾として利用する。
【符号の説明】
【００１８】
1  スナップボタン
2  内袋
3  水引き
4  カイロまたは保冷剤
【図１】
2015009873.tif 000003
【図２】
2015009873.tif 000004
【図３】
2015009873.tif 000005
【図４】
2015009873.tif 000006
(57)【要約】【課題】  書籍を読みやすくする。【解決手段】  書籍を読みやすくするには書籍の文字の配置を工夫する。書籍の１行の文字数を少なくする。段組にする。段落ごとに１行あきにする。【選択図】図１
2015009559.tif 000002
【特許請求の範囲】
【請求項１】
１行の文字数を８文字以下にし、段組にし、段落ごとに１行あきにした書籍。
【請求項２】
１行の文字数を１０文字以下にし、段組にし、段落ごとに１行あきにした書籍。
【請求項３】
１行の文字数を１２文字以下にし、段組にし、段落ごとに１行あきにした書籍。
【請求項４】
１行の文字数を８文字以下にし、段組にした書籍。
【請求項５】
１行の文字数を１０文字以下にし、段組にした書籍。
【請求項６】
１行の文字数を１２文字以下にし、段組にした書籍。
【請求項７】
段組にし、段落ごとに１行あきにした書籍。
【発明の詳細な説明】
【技術分野】
【０００１】本発明は書籍を読みやすくするために、文字の配置を工夫した書籍に関するものである。
【背景技術】
【０００２】従来の書籍は１行の文字数が多く、文字を追って視線の移動が多く、目が疲れやすく読みにくい。図４に従来の書籍の見開きページを示す。
【発明の概要】
【発明が解決しようとする課題】
【０００３】書籍を読みやすくする。
【課題を解決するための手段】
【０００４】書籍を読みやすくするには書籍の文字の配置を工夫する。【０００５】書籍の１行の文字数を少なくする。段組にする。段落ごとに１行あきにする。図１〜３に本発明による書籍の見開きページを示す。
【発明の効果】
【０００６】書籍の１行の文字数を少なくし、段組にすることで、視線の移動が少なくなり、目が疲れにくく、書籍が読みやすくなる。さらに段落ごとに１行あきにすることで、段落を１つのかたまりとしてとらえやすく、書籍が読みやすくなる。【０００７】書籍は１行の文字数が少ないと視線の移動が多くなり読みにくいと思われがちだが、実際には視線の移動が少なくなり読みやすい。
【図面の簡単な説明】
【図１】本発明による書籍の見開きページ（１行８文字４段組）。
【図２】本発明による書籍の見開きページ（１行１０文字４段組）。
【図３】本発明による書籍の見開きページ（１行１２文字３段組）。
【図４】従来の書籍の見開きページ。
【図１】
2015009559.tif 000003
【図２】
2015009559.tif 000004
【図３】
2015009559.tif 000005
【図４】
2015009559.tif 000006
(57)【要約】【課題】  変形性膝関節症や変形性股関節症等の痛みで歩行障害のある人が、重い荷物を携えて歩行しなければならない時、楽に長時間、長距離の歩行と荷物の携行が出来るようにキャリーカート兼用歩行器を提供する。【解決手段】  車体フレーム（１）の前方側に前輪（２）、ハンドル部フレーム（３）、荷物置台（４）、ハンドル（５）を設ける。  そして後方側に座席部フレーム（６）、座席（７）、後輪（８）を設ける。  また車体フレーム（１）にキャリーカートで使用するときの運搬用台車（９）と、これを支える台車回転軸受（１０）を設ける。  本発明は以上の構成からなるキャリーカート兼用歩行器を特徴とする。【選択図】図１
2015009131.tif 000002
【特許請求の範囲】
【請求項１】
車体フレーム（１）の前方側に前輪（２）、ハンドル部フレーム（３）、荷物置台（４）、ハンドル（５）を設ける。
そして後方側に座席部フレーム（６）、座席（７）、後輪（８）を設ける。
この歩行器機能部に運搬用台車（９）を組み合わせたキャリーカート兼用歩行器。
【発明の詳細な説明】
【技術分野】
【０００１】  本発明は変形性膝関節症、変形性股関節症等の障害で長時間の歩行は困難な人が重い荷物を携えて歩行する時、足が痛くないときはキャリーカートとして荷物を載せて牽引し、足が痛いときは座席に腰掛けて歩行を続けられる歩行器に関するものである。
【背景技術】
【０００２】  従来、膝関節や股関節等の痛みによる障害を持つ人が重い荷物を携え、且つ長時間の歩行を余儀なくされる恐れがある場合は、歩行器と荷物運搬装置の２つの機器を用意する必要がある。
しかし歩行器は必要か不必要になるかは状況により変化するため、不要な時は余分な荷物となって、荷物運搬装置と共に２台の機器を持ち運ぶこととなる。
この不要な物を持ち運ぶことになる時の肉体的、心理的な負担を考えると外出は控え気味になり、そして活動範囲も狭まって社会と隔絶が生じると共に老化も早まる。【０００３】  このように下半身に歩行障害のある人が荷物を携えて移動する時に、移動時間や移動距離そしてまた足の痛みの状態により、使用方法を替えつつ長時間の歩行が持続出来る歩行器と荷物運搬装置を１台に組み合わせた機器がなかった。
【先行技術文献】
【特許文献】
【発明の概要】
【発明が解決しようとする課題】
【０００４】  従来は次のような欠点があった。
（イ）下半身の歩行障害で短時間は歩けるが長時間の歩行は困難な人が、重い荷物を携えて、移動時間や移動距離そしてまた足の痛みの状況により、使用方法を替えつつ長時間の歩行を続けられる歩行器と荷物運搬装置を組み合わせた機器がなかった。
（ロ）また周りの人に違和感を与える様な外見のものは使用が躊躇されるものであり、使用時の外見上も奇異な印象を与えないような歩行器は見当らなかった。
本発明は以上のような欠点をなくすためになされたものである。
【課題を解決するための手段】
【０００５】  車体フレーム（１）の前方側に前輪（２）、ハンドル部フレーム（３）、荷物置台（４）、ハンドル（５）を設ける。
そして後方側に座席部フレーム（６）、座席（７）、後輪（８）を設ける。
また車体フレーム（１）にキャリーカートで使用するときの運搬用台車（９）と、これを支える台車回転軸受（１０）を設ける。
本発明は以上の構成よりなるキャリーカート兼用歩行器である。
【発明の効果】
【０００６】  （イ）歩行器とキャリーカートの組み合せによる１台で、膝関節や股関節等に障害がある人が重い荷物を携えて移動しなければならない時でも、移動時間や移動距離、また足の痛みの状態によって使用方法を替えながら長時間の歩行が続けられる。
（ロ）また外見も歩行器としての使用時でも自転車乗車に見えるため違和感が少なく、周囲からの奇異な視線からも開放され健常時に近い社会活動が取り戻せる。
【図面の簡単な説明】
【０００７】
【図１】図１は本発明のキャリーカートとして使用時を示した説明図である。
【図２】図２は本発明の歩行器として使用時を示した説明図である。
【発明を実施するための形態】
【０００８】  以下、本発明を実施するための形態について説明する。
車体フレーム（１）の前方側に前輪（２）、ハンドル部フレーム（３）、荷物置台（４）、ハンドル（５）を設ける。
そして後方側に座席部フレーム（６）、座席（７）、後輪（８）を設ける。
また車体フレーム（１）にキャリーカートで使用するときの運搬用台車（９）と、これを支える台車回転軸受（１０）を設ける。
本発明は以上のような構造である。
これをキャリーカートとして使用する時は、運搬用台車（９）に荷物を載せ牽引する。
またこれを歩行器として使用するときは荷物置台（４）に荷物を載せ、歩行足の障害にならないよう運搬用台車（９）を収納し、座席（７）に腰掛けて歩行する。
【符号の説明】
【０００９】  １  車体フレーム
２  前輪
３  ハンドル部フレーム
４  荷物置台
５  ハンドル
６  座席部フレーム
７  座席
８  後輪
９  運搬用台車
１０  台車回転軸受
【図１】
2015009131.tif 000003
【図２】
2015009131.tif 000004
(57)【要約】【課題】従来、番線カッターには取出しや収納の利便性を考慮したものは無く、腰袋や専用の工具挿しに収納して使用していた。限られた腰バンドのスペースに数多くの工具を収納しなければならないので、かさばり使いづらいことが多々あった。  本発明は、番線カッターの取りだしや収納を便利にし、なおかつ脱着が可能な番線カッターホルダーを提供する。【解決手段】  腰ベルトに通しの長穴の開いた金具（１）の下部に、工具をぶら下げるためのカラビナ（２）を水平に取り付けた工具ホルダー。【選択図】図１
2015009134.tif 000002
【特許請求の範囲】
【請求項１】
番線カッターの掴み根元部分に、形状に合った左右対称の金物を２枚挟み込み、金物が外れないようにボルトナットで締付け、左右対称の金物には、ボルトナット用の孔を設け、更に、工具ホルダーに通すための孔を設けた番線カッターホルダー。
【発明の詳細な説明】
【技術分野】
【０００１】  本発明は、番線カッターにホルダーを取付け、作業中の工具の取出しや収納を容易にするための脱着可能な工具に関するものである。
【背景技術】
【０００２】  現場では、様々な番線カッターが市販されているが、取出しや収納するには腰袋に入れて使用することがほとんどである。
なお、登録実用新案では、番線カッターにホルダーを取付けたものが有るが、市販されているのは見たことが無い（特許文献１参照）。
【先行技術文献】
【特許文献】
【０００３】
【特許文献１】  登録実用新案第３０９２２５０号公報
【発明の概要】
【発明が解決しようとする課題】
【０００４】  従来、番線カッターには取出しや収納の利便性を考慮したものは無く、腰袋や専用の工具挿しに収納して使用していた。
限られた腰バンドのスペースに数多くの工具を収納しなければならないので、かさばり使いづらいことが多々あった。
本発明は、以上の問題点を解決するためになされたものである。
【課題を解決するための手段】
【０００５】  番線カッターの掴み根元部分に、形状に合った左右対称の金物を２枚挟み込む。
金物が外れないようにボルトナットで締付ける。
左右対称の金物には、ボルトナット用の孔を設ける。更に、工具ホルダーに通すための孔を設ける。
【発明の効果】
【０００６】  特許文献の物と比較すると、脱着が可能なため、番線カッターが壊れて使えなくなっても、取外し新しい番線カッターに転用することができる。
また、カラビナを使用した工具ホルダーに対応しているため、腰袋に入れたり専用の工具挿しを使用しなくて良い。
その為、場所を取らず、なおかつ、無理な姿勢で作業しても落とすことが無い。
本発明は、番線カッターに脱着可能なホルダーであり、腰バンドのスペースを取らず落ちにくい工具である。
【図面の簡単な説明】
【０００７】
【図１】  本発明の斜視図である。
【図２】  本発明の使用状態を示した斜視図である。
【図３】  本発明の使用状態を拡大して示した斜視図である。
【発明を実施するための形態】
【０００８】  以下、本発明の実施の形態を説明する。
金物（１）の先端部に、はめ込み部（３）を設け、掴み根元部（９）の形状に合うように加工（４）する。
平らな部分に、ボルト用孔部（６）を設ける。
ボルト用孔部の上部に、カラビナやフック等に引っ掛ける為の孔部（７）を設ける。
上記の金物Ａ（１）と左右対称の金物Ｂ（２）がある。
金物ＡとＢを番線カッター（８）の掴み根元部（９）に固定する為のボルトナット（５）がある。
本発明は以上のような構造である。
本発明を使用するときは、金物Ａ（１）と金物Ｂ（２）を番線カッター（８）の掴み根元部（９）に嵌め込むように取付け、ボルト用孔部（６）にボルトナット（５）と取付け、締付け固定する。
孔部（７）を腰バンドに設置されている工具ホルダーに通すことで腰バンドに装着することができる。
又、番線カッターが壊れた際、外して新しい番線カッターに付替えることが可能である。
【符号の説明】
【０００９】    １  金物Ａ
２  金物Ｂ
３  はめ込み部
４  掴み根元部に合うような形状
５  ボルトナット
６  ボルト用孔部
７  孔部
８  番線カッター
９  掴み根元部
【図１】
2015009134.tif 000003
【図２】
2015009134.tif 000004
【図３】
2015009134.tif 000005
(57)【要約】【課題】手の大きさや形状が個人個人で相違しているにもかかわらず、グリップ部が固定されてることが多く、グリップの握り具合や構造については、ほとんど考慮されていなかった。従来、グリップを握るときや、杖の「振り出す」動作を繰り返す過程で手とグリップとの間にスキマが出きやすく、不自然な握り方になりやすいために、掌を痛めたり、手首などに負担がかかっていた。掌や手首などの負担を少なくすることを目的とした、手にフィットしやすい杖を開発すること。【解決手段】グリップを握る掌が「卵」態様の握る状態から、グリップを丸みを帯びた卵型にすること、手の大きさに合わせてグリップ部を取り外し可能にすることで手にフィットし、手首の負担も軽減し把持しやすい。グリップ部のみ取り外しができるので、グリップが傷みが生じたら交換もできる。【選択図】図６
2015009010.tif 000002
【特許請求の範囲】
【請求項１】
グリップ（１）を全体的に丸みを帯びた卵型にし、グリップ部（１）と棒状本体（３）と連設部に、湾曲（２）を設けてあり、グリップ部（１）BからA中心部に向かって厚みを増し、Aから前方Cに向かって厚みが減っていく卵型で、自然木で加工・仕上げた特徴とする杖のグリップ構造。
【請求項２】
グリップ１と湾曲部２の間に補助枠Dを取り付けてある。Dには凸が取り付けてあり、ネジ状Eになっている。グリップ１の空洞Fになっている所にEを差込みまわしながらつなげる。
EとFを設けることで握るグリップ部を取り外しできることを特徴とする請求項１ 記載の杖グリップ構造。
【発明の詳細な説明】
【技術分野】
【０００１】
この発明は、高齢者や非健常者の歩行を補助する目的に用いる杖に関し、特に、グリップ構造に関するものである。
【背景技術】
【０００２】
高齢化社会において、杖は高齢者にとって必須のアイテムであることから、扱いがし易く又安全であることが望まれている。
しかし手の大きさや形状が個人個人で相違しているにもかかわらず、グリップの握り具合や構造については、ほとんど考慮されていないのが現状である。
【０００３】
従来、細長いタイプのグリップが多いため杖の「振り出す」動作を繰り返す過程で手とグリップとの間にスキマが出やすく、不安定な握り方になりやすいため、掌や手首に負担がかかっていた。
又、手の大きさが個人個人相違があるにも関わらずグリップが固定されいる。
こうした背景において、次のようなグリップ構造が特許文献１、特許文献2 に示されている。
【先行技術文献】
【特許文献】
【０００４】
【特許文献１】特開20011 ― 56119号公報
【特許文献２】特開20101 ― 246728号公報
【発明の概要】
【発明が解決しようとする課題】
【０００５】
これは、次のような欠点があった。
従来、細長いタイプのグリップが多いため杖の「振り出す」動作を繰り返す過程で手とグリップとの間にスキマが出やすく、不安定な握り方になりやすかった。そのためグリップを握る手との間にはグリップとの一体感が少ないとされていた。また不自然な手の握り方になりやすいために掌を痛めたり、手首や手に負担がかかっていた。
グリップの握りを強めたり緩めたりしても、手に馴染み、なお且つグリップが手首や手に負担がかからない構造が求められる。
本発明は、以上のような欠点をなくすためになされたものである。
【課題を解決するための手段】
【０００６】
杖のもち手のグリップを握るときや、杖の振り出す過程で、グリップを握る掌が「卵」態様の握り状態を繰り返すことから、もち手のグリップを卵型にし、グリップ部と棒状本体との連設部は湾曲状態を設ける。又、グリップの部分を取り外せるようにし、自分の手の大きさに合わせて取り付けられるようにする。
本発明は、以上の構成による杖である。
【発明の効果】
【０００７】
人間の手を握った形が卵型に似ているため、グリップを卵型にすることで手に馴染みやすい。
自分の手の大きさに合ったグリップを取り付けられるため、手にフィットしやすく、又、グリップのみの交換が可能になるので利便性によい。
もち手のグリップ全体が丸みを帯びているので、手首や掌の負担を軽減し、身体にあたっても怪我をしにくく安全である。
もち手のグリップ部と棒状本体との連設部に湾曲を設けることで、利用していないときでもフックにかけておくことができる。
【図面の簡単な説明】
【０００８】
【図１】この発明の杖の全体図
【図２】この発明の実施例の杖の全体図
【図３】手を握った状態の図
【図４】グリップを握った状態の斜面図
【図５】杖の上部のイメージ図
【図６】上部全体図と取り外し部の説明図
【発明を実施するための形態】
【０００９】
以下、この発明の実施の形態を、図面を参照して説明する。
【実施例】
【００１０】
図１ は杖の全体図、図２は杖の説明図、図３は手を握った状態図、図４はグリップを握った状態の斜面図、図５は杖の上部図、図６はグリップ部１と湾曲部２の前に取り付けてあるDの補助枠連設部の説明を示してある。
【００１１】
グリップを握る掌が図３「卵」態様の握り状態を繰り返すことから、1のもち手のグリップを卵型にする。
図２、Bから中心点Aにかけて厚みが増し、AからC前方に厚みを減らす。全体的に丸みを帯びている。
【００１２】
図６、グリップ１と湾曲部２の間に補助枠Dを取り付けてある。Dには凸が取り付けてあり、ネジ状Eになっている。グリップ１の空洞になっている所FにEを差込み、まわして締める。
EとFを設けることで握るグリップ部を取り外し可能になる。
【００１３】
図２、もち手のグリップ１と棒状本体３との連設部に湾曲２を設けることで、利用していないときでもフックにかけておくことができる。
【００１４】
図２、１をDの部分とつなげさらに２と３をつなげる。さらに、３の下に滑り止めの４を差し込み固定する。
【符号の説明】
【００１５】
１  卵型グリップ
２  グリップ部と棒状本体との湾曲した連設部
３  棒状本体
４  滑り止めゴム
A  グリップ中心部
B  グリップの連結側
C  グリップの先端
D  補助枠
E  ネジ
F  ネジの差込先穴
【図１】
2015009010.tif 000003
【図２】
2015009010.tif 000004
【図３】
2015009010.tif 000005
【図４】
2015009010.tif 000006
【図５】
2015009010.tif 000007
【図６】
2015009010.tif 000008